(57)【特許請求の範囲】
【請求項１】
バッテリ駆動の無線端末装置に適用されるリセット装置であって、前記無線端末装置は、無線送受信モジュールと、該無線送受信モジュールに駆動電圧を供給する電圧変換回路と、当該無線端末装置の全体の動作を制御し、前記電圧変換回路をオン／オフ制御するコントローラとを備え、バッテリ電圧が低下したときに前記コントローラにリセット信号を供給して、前記コントローラにリセット動作を行わせる前記リセット装置において、
前記バッテリ電圧を監視して、該バッテリ電圧が規定電圧以下になったときにリセット信号を出力するリセット回路と、
前記電圧変換回路の動作開始直前から前記バッテリ電圧が安定するまでの時間、アクティブな信号である、キャンセル信号に応答して前記リセット信号をキャンセルし、前記キャンセル信号を送出している期間の間だけ前記リセット信号を無効化して、修正したリセット信号を前記コントローラへ供給する無効化回路と、
を有することを特徴とするリセット装置。
【請求項２】
前記リセット信号は、論理ハイレベルから論理ロウレベルに遷移したときにアクティブとなる信号であり、
前記キャンセル信号は論理ハイレベルの信号であり、
前記無効化回路は、前記リセット信号と前記キャンセル信号との論理和を取り、論理和結果信号を前記修正したリセット信号として出力するＯＲ回路から成る、
請求項１に記載のリセット装置。
【請求項３】
バッテリ駆動の無線端末装置に使用されるリセット動作制御方法であって、前記無線端末装置は、無線送受信モジュールと、該無線送受信モジュールに駆動電圧を供給する電圧変換回路と、当該無線端末装置の全体の動作を制御し、前記電圧変換回路をオン／オフ制御するコントローラとを備え、バッテリ電圧が低下したときに前記コントローラにリセット信号を供給して、前記コントローラにリセット動作を行わせる前記リセット動作制御方法において、
前記バッテリ電圧を監視して、該バッテリ電圧が規定電圧以下になったときにリセット信号を出力するステップと、
無効化回路を使用して、前記電圧変換回路の動作開始直前から前記バッテリ電圧が安定するまでの時間、アクティブな信号である、キャンセル信号に応答して前記リセット信号をキャンセルし、前記キャンセル信号を送出している期間の間だけ前記リセット信号を無効化して、修正したリセット信号を前記コントローラへ供給するステップと、
を含むリセット動作制御方法。
【請求項４】
前記リセット信号は、論理ハイレベルから論理ロウレベルに遷移したときにアクティブとなる信号であり、
前記キャンセル信号は論理ハイレベルの信号であり、
前記無効化回路は、前記リセット信号と前記キャンセル信号との論理和を取り、論理和結果信号を前記修正したリセット信号として出力するＯＲ回路から成る、
請求項３に記載のリセット動作制御方法。
【発明の詳細な説明】
【技術分野】
【０００１】
本発明は、バッテリ電圧が低下したときにコントローラにリセット信号を供給して、コントローラにリセット動作を行わせるリセット装置に関し、特に、バッテリ電圧の電圧変動によるコントローラでの不要なリセット動作を回避することができる、リセット装置およびリセット動作制御方法に関する。
【背景技術】
【０００２】
バッテリ駆動の無線端末装置（例えば、モバイルルータ）においては、無線送受信モジュール（ＲＦモジュール）が電力を大きく消費する。無線送受信モジュール（ＲＦモジュール）には、昇降圧回路等の電圧変換回路（電源供給回路）から電源（駆動電圧）が供給される。無線端末装置（モバイルルータ）のバッテリを節約するために、ＣＰＵ（central processing unit）から成るコントローラ（制御回路；制御ＩＣ）の制御によって電源供給回路をオン／オフ制御することにより、必要な時だけ無線送受信モジュール（ＲＦモジュール）をオン（活性化）するようにしている。
【０００３】
しかしながら、無線送受信モジュール（ＲＦモジュール）をオン（活性化）する時、その消費電力が大きいため、無線送受信モジュール（ＲＦモジュール）へ流れる突入電流が大きくなる。その結果、バッテリ電圧が瞬間的（一時的）に低下してしまうことが発生する。
【０００４】
一方、この種のバッテリ駆動の無線端末装置（モバイルルータ）においては、内蔵しているバッテリのバッテリ電圧が低下した場合に、当該無線端末装置を制御するコントローラが無線端末装置の機能を停止させるようにしている。その為、バッテリ駆動の無線端末装置は、バッテリ電圧が低下したときに、コントローラをリセットするためのリセット装置（リセット回路）を備えている。
【０００５】
詳述すると、リセット装置（リセット回路）は、バッテリ電圧を入力電圧として受け、その入力電圧が規定電圧以下となったときに、バッテリ電圧が低下したと判断して、その出力をＧＮＤ電位にしてリセット信号をコントローラのリセット端子に供給する。
【０００６】
そのため、上述したように、バッテリ電圧が瞬間的（一時的）に低下した場合でも、リセット装置（リセット回路）はリセット信号をコントローラのリセット端子へ供給してしまう。しかしながら、上述から明らかなように、このような瞬間的（一時的）なバッテリ電圧の低下は、本当のバッテリ電圧の低下ではない。それにも拘わらず、バッテリ電圧が瞬間的（一時的）に低下する度にコントローラがリセットされてしまうのでは、バッテリ駆動の無線端末装置の動作が不安定になってしまう。
【０００７】
そこで、従来のバッテリ駆動の無線端末装置では、電源供給回路の動作開始時に発生するバッテリ電圧の変動の影響を軽減するために、大容量の平滑コンデンサを搭載している。この平滑コンデンサは、数千μＦ程度の大容量を持つ。
【０００８】
本発明に関連する先行技術文献が知られている。
【０００９】
例えば、特開２００９−１２４４９４号公報（特許文献１）は、定常的電圧低下時と瞬低時の双方に対してパワー素子を適切に制御することができるパワー素子駆動用回路を開示している。この特許文献１に開示されたパワー素子駆動回路は、電源の電圧が所定の範囲にあるか否かを監視し、当該電源電圧の正常と異常を判別する機能を備える電圧低下保護回路と、電圧低下保護回路の出力を選択的に通過させる機能を有する電圧低下フィルタ回路であって、比較的長時間に渡る定常的な電圧低下の際にはパワー素子を停止させ、低下後短時間で正常電圧に復帰する瞬間的な電源電圧低下（瞬低）の際にはパワー素子の駆動を継続させる電圧低下フィルタ回路とを備えている。
【００１０】
特許文献１において、電圧低下フィルタ回路は、電流源と、電流源にドレインが接続され、ゲートが電圧低下保護回路の出力に接続されたＮＭＯＳトランジスタと、このＮＭＯＳトランジスタのドレインとソースとに並列に接続されたコンデンサ素子と、ＮＭＯＳトランジスタのドレインに接続されたインバータと、から構成されている。
【先行技術文献】
【特許文献】
【００１１】
【特許文献１】特開２００９−１２４４９４号公報（図７、図８、［００１４］〜［００２２］）
【発明の概要】
【発明が解決しようとする課題】
【００１２】
しかしながら、大容量の平滑コンデンサをバッテリ駆動の無線端末装置に搭載したのでは、コンデンサの実装面積による製品の小型化への障害およびコスト上昇の原因となる。
【００１３】
一方、特許文献１に開示された電圧低下フィルタ回路は、電流源と、ＮＭＯＳトランジスタと、コンデンサ素子と、インバータとから構成されている。その結果、電圧低下フィルタ回路の構成が複雑になるという問題がある。また、電圧低下フィルタ回路は、電源電圧の立ち上がり時に、特許文献１の図８に示されるように、異常な動作をするという問題がある。そのため、特許文献１では、電圧低下フィルタ回路の他に、コンデンサ素子やパワーオンリセット回路などの停止回路を更に設けて、電源がオン状態にされてから電源の電圧の立ち上がり期間にかけて、パワー素子のオン動作を禁止するようにしている。
【００１４】
したがって、本発明の課題は、簡単な回路構成で、コントローラによる不要なリセット動作を回避することができる、リセット装置およびリセット動作制御方法を提供することにある。
【課題を解決するための手段】
【００１５】
本発明のリセット装置は、バッテリ駆動の無線端末装置に適用されるリセット装置であって、前記無線端末装置は、無線送受信モジュールと、該無線送受信モジュールに駆動電圧を供給する電圧変換回路と、当該無線端末装置の全体の動作を制御し、前記電圧変換回路をオン／オフ制御するコントローラとを備え、バッテリ電圧が低下したときに前記コントローラにリセット信号を供給して、前記コントローラにリセット動作を行わせる前記リセット装置において、前記バッテリ電圧を監視して、該バッテリ電圧が規定電圧以下になったときにリセット信号を出力するリセット回路と、前記電圧変換回路の動作開始直前から前記バッテリ電圧が安定するまでの時間、アクティブな信号である、キャンセル信号に応答して前記リセット信号をキャンセルし、前記キャンセル信号を送出している期間の間だけ前記リセット信号を無効化して、修正したリセット信号を前記コントローラへ供給する無効化回路と、を有する。
【発明の効果】
【００１６】
簡単な回路構成で、コントローラによる不要なリセット動作を回避できる。
【図面の簡単な説明】
【００１７】
【図１】関連するリセット装置の一般的な回路構成を示すブロック図である。
【図２】図１に示したリセット装置の動作を説明するためのタイムチャートである。
【図３】本発明に係るリセット装置が適用されるバッテリ駆動の無線端末装置の主要部の構成を示すブロック図である。
【図４】本発明の第１の実施例に係るリセット装置の回路構成を示すブロック図である。
【図５】図４に示したリセット装置の動作を説明するためのタイムチャートである。
【発明を実施するための形態】
【００１８】
本発明の特徴について説明する。
【００１９】
本発明は、通常動作にて立ち上がりの電圧変動が大きい電圧変換回路において、電圧変動によるコントローラのリセット動作を回避することを特徴としている。
【００２０】
すなわち、本発明では、リセット回路出力とキャンセル回路出力を、論理和(ＯＲ)回路を通すことにより、電圧変換回路の動作開始時の電圧監視をキャンセルすることにより、コントローラによる不要なリセット動作を回避できる。
【００２１】
［関連技術］
本発明の理解を容易するために、関連するリセット装置について説明する。
【００２２】
リセット回路の一例として、電圧検出素子(ボルテージディテクタ)が知られている。入力電圧が規定電圧以下となった場合に、出力がＧＮＤと等電位となる。
【００２３】
図１は、関連するリセット装置１０’の一般的な回路構成を示すブロック図である。
【００２４】
関連するリセット装置１０’は、バッテリ駆動の無線端末装置（モバイルルータ）に使用されるものである。この無線端末装置（モバイルルータ）は、図示はしないが、無線送受信モジュール（ＲＦモジュール）と、装置全体の動作を制御するためのコントローラとを含む。無線送受信モジュール（ＲＦモジュール）には、昇降圧回路等の電圧変換回路（電圧供給回路）から駆動電圧が供給される。コントローラはＣＰＵから構成される。
【００２５】
尚、バッテリは、例えば、３．４Ｖ〜４．２Ｖのバッテリ電圧を発生するリチウムイオン電池であって良い。
【００２６】
関連するリセット装置１０’は、バッテリ電圧が低下したときにコントローラのリセット端子にリセット信号を供給して、コントローラにリセット動作を行わせる装置である。
【００２７】
関連するリセット装置１０’は、リセット回路１２から構成されている。図１において、V_BATTERYはバッテリ電圧を示し、V_IOは信号線プルアップ電源を示し、RESET_Nは、リセット装置１０’から出力されるリセット信号を示す。
【００２８】
リセット回路１２は、ＶＤＤ端子と、ＧＮＤ端子と、ＴＡＢ端子と、ＯＵＴ端子とを持つ。ＶＤＤ端子には、バッテリ電圧V_BATTERYが供給されている。ＧＮＤ端子とＴＡＢ端子とは互いに接続されている。ＶＤＤ端子とＧＮＤ端子との間にはキャパシタＣ１が接続されている。ＧＮＤ端子は接地されている。
【００２９】
尚、リセット回路１２は、検出電圧−Ｖｄｅｔと解除電圧＋Ｖｄｅｔとを持つ（図２参照）。解除電圧＋Ｖｄｅｔは検出電圧−Ｖｄｅｔより高い。検出電圧−Ｖｄｅｔは規定電圧とも呼ばれる。検出電圧（規定電圧）−Ｖｄｅｔは、例えば、２．９Ｖである。
【００３０】
また、キャパシタＣ１は、前述した大容量の平滑コンデンサとは異なり、小容量で小型のコンデンサである。具体的には、例えば、キャパシタＣ１は、０．１μＦの容量値を持ち、０．６ｍｍ×０．３ｍｍのサイズを持つ。したがって、このキャパシタＣ１には、上述した大容量の平滑コンデンサのような、バッテリ電圧V_BATTERYを平滑化する能力はない。
【００３１】
ＯＵＴ端子は３３Ωの抵抗値を持つ第１の抵抗器Ｒ１の一端に接続されている。第１の抵抗器Ｒ１の他端は、１０ｋΩの抵抗値を持つ第２の抵抗器Ｒ２を介して信号線プルアップ電源V_IOに接続されている。第１の抵抗器Ｒ１と第２の抵抗器Ｒ２との接続点から、リセット装置１０’の出力であるリセット信号RESET_Nが出力される。このリセット装置１０’の出力であるリセット信号RESET_Nは、図示しないコントローラのリセット端子に供給される。
【００３２】
図２を参照して、バッテリ電圧V_BATTERY変動時のリセット装置１０’の状態について説明する。図２において、V_MODULEは、図示しない昇降圧回路等の電圧変換回路（電源供給回路）の出力電圧を示す。
【００３３】
時刻ｔ１で、図示しないコントローラが、図示しない無線送受信モジュール（ＲＦモジュール）をオン（活性化）するために、当該無線送受信モジュール（ＲＦモジュール）に駆動電圧を供給する昇降圧回路等の電圧変換回路（電源供給回路）の動作を開始したとする。尚、駆動電圧は、例えば、３．３Ｖである。
【００３４】
そのため、電圧変換回路の出力電圧V_MODULEは、時刻ｔ１以降、徐々に上昇する。無線送受信モジュール（ＲＦモジュール）の消費電力が大きいため、無線送受信モジュール（ＲＦモジュール）への突入電流が大きい。その結果、バッテリ電圧V_BATTERYは、時刻ｔ１以降、徐々に低下する。
【００３５】
時刻ｔ２で、バッテリ電圧V_BATTERYが検出電圧（規定電圧）−Ｖｄｅｔ以下になると、リセット回路１２は、そのＯＵＴ端子をＧＮＤレベルにする。その結果、リセット装置１０’の出力であるリセット信号RESET_Nは、論理ハイレベルから論理ロウレベルに遷移し、コントローラのリセット端子へリセット信号が供給される。このリセット信号RESET_Nに応答して、コントローラは、無線端末装置（モバイルルータ）のリセット動作を行う。
【００３６】
電圧変換回路（電源供給回路）における動作が過渡状態の終了へ向かうにつれて、電圧変換回路（電源供給回路）の出力電圧V_MODULEも一定電圧（例えば、３．３Ｖ）に収束する安定状態へ向けて遷移する。その結果、無線送受信モジュール（ＲＦモジュール）への突入電流も小さくなり、バッテリ電圧V_BATTERYが上昇する。
【００３７】
時刻ｔ３で、バッテリ電圧V_BATTERYが解除電圧＋Ｖｄｅｔ以上になると、リセット回路１２は、そのＯＵＴ端子をＶＤＤレベルにする。その結果、リセット装置１０’の出力であるリセット信号RESET_Nは、論理ロウレベルから論理ハイレベルに遷移する。
【００３８】
このように、無線送受信モジュール（ＲＦモジュール）をオン（活性化）すると、バッテリ電圧V_BATTERYが瞬間的（一時的）に低下してしまう。その結果、関連するリセット装置１０’は、リセット信号RESET_Nをコントローラのリセット端子へ供給する。これにより、無線端末装置（モバイルルータ）の機能が停止してしまう。
【００３９】
しかしながら、このような瞬間的（一時的）なバッテリ電圧V_BATTERYの低下は、本当のバッテリ電圧V_BATTERYの低下ではない。それにも拘わらず、バッテリ電圧V_BATTERYが瞬間的（一時的）に低下する度にコントローラがリセット動作を行うのでは、バッテリ駆動の無線端末装置の動作が不安定になってしまう。
【００４０】
上述した特許文献１においては、このようなバッテリ電圧の瞬低を防止するために、電圧低下フィルタ回路を備えている。しかしながら、前述したように、電圧低下フィルタ回路は、回路構成が複雑で、電源電圧の立ち上がり時に、異常な動作をするという問題がある。
【００４１】
図３は、本発明に係るリセット装置が適用される、バッテリ駆動の無線端末装置２０の主要部の構成を示すブロック図である。
【００４２】
図示の無線端末装置２０は、バッテリとして、例えば、バッテリ電圧が３．４〜４．２Ｖのリチウムイオン電池（図示せず）によって駆動される。
【００４３】
無線端末装置２０は、無線送受信モジュール（ＲＦモジュール）２２を備える。この無線送受信モジュール（ＲＦモジュール）２２は、電圧変換回路（電源供給回路）２４から供給される駆動電圧で駆動される。電圧変換回路（電源供給回路）２４は、例えば、昇降圧回路から成る。電圧変換回路（電源供給回路）２４は、駆動電圧として、例えば、３．３Ｖの電圧を無線送受信モジュール（ＲＦモジュール）２２へ供給する。
【００４４】
無線端末装置２０の全体の動作は、コントローラ２６によって制御される。コントローラ２６は、例えば、ＣＰＵから成る。
【００４５】
前述したように、無線送受信モジュール（ＲＦモジュール）２２は電力を大きく消費する。そのため、無線端末装置２０では、バッテリ節約を目的に、コントローラ２６の制御下で、電圧変換回路（電源供給回路）２４をオン／オフ制御して、必要な時だけ無線送受信モジュール（ＲＦモジュール）２２をオン（活性化）するようにしている。
【００４６】
しかしながら、無線送受信モジュール（ＲＦモジュール）２２をオン（活性化）する時、その消費電力が大きいため、無線送受信モジュール（ＲＦモジュール）２２へ流れる突入電流が大きくなる。その結果、バッテリ電圧が瞬間的に低下してしまうことが発生する。
【００４７】
このバッテリ駆動の無線端末装置２０においては、内蔵しているバッテリのバッテリ電圧が低下した場合に、当該無線端末装置２０を制御するコントローラ２６が無線端末装置２０の機能を停止させるようにしている。
【００４８】
その為、従来のバッテリ駆動の無線端末装置においては、図１に示されるような、バッテリ電圧V_BATTERYが低下したときに、コントローラ２６をリセットするための関連するリセット装置１０’を備えている。
【００４９】
前述したように、関連するリセット装置１０’は、バッテリ電圧V_BATTERYを入力電圧として受け、その入力電圧が規定電圧以下となったときに、バッテリ電圧V_BATTERYが低下したと判断して、その出力をＧＮＤ電位にしてリセット信号をコントローラ２６のリセット端子２６１に供給する。
【００５０】
そのため、上述したように、バッテリ電圧V_BATTERYが瞬間的（一時的）に低下した場合でも、関連するリセット装置１０’はリセット信号をコントローラ２６のリセット端子２６１へ供給してしまう。しかしながら、上述から明らかなように、このような瞬間的（一時的）なバッテリ電圧V_BATTERYの低下は、本当のバッテリ電圧V_BATTERYの低下ではない。それにも拘わらず、バッテリ電圧V_BATTERYが瞬間的に低下する度にコントローラ２６がリセット動作を行うのでは、バッテリ駆動の無線端末装置２０の動作が不安定になってしまう。
【００５１】
そこで、従来のバッテリ駆動の無線端末装置では、電源供給回路２４の動作開始時に発生するバッテリ電圧V_BATTERYの変動の影響を軽減するために、大容量の平滑コンデンサを搭載している。この平滑コンデンサは、数千μＦ程度の大容量を持つ。
【００５２】
しかしながら、大容量の平滑コンデンサをバッテリ駆動の無線端末装置に搭載したのでは、コンデンサの実装面積による製品の小型化への障害およびコスト上昇の原因となる。
【００５３】
そこで、本発明の実施形態に係る無線端末装置２０は、簡単な回路構成で、コントローラ２６による不要なリセット動作を回避することができる、リセット装置１０を備えている。
【実施例１】
【００５４】
次に、図４を参照して、本発明の第１の実施例に係るリセット装置１０について説明する。
【００５５】
本発明の第１の実施例では、図１に示した関連するリセット装置１０’と同様に、携帯端末装置２０のＲＦモジュール(組み込み回路)２２への電源供給回路２４を基本構成として説明する。
【００５６】
図示のリセット装置１０は、後述する無効化回路１４が追加されている点を除いて、図１に示した関連するリセット装置１０’と同様の構成を有する。したがって、図１に示した構成要素と同様の機能を有するものには同一の参照符号を付し、以下では、説明の簡略化のための相違点についてのみ説明する。
【００５７】
図３に示されるように、コントローラ２６は、キャンセル回路２６２を含む。
【００５８】
図４において、CANCELLERは、キャンセル回路２６２から出力されるキャンセル信号を示し、TPは、リセット回路１２の出力モニタ端子を示し、RESET(C)_Nは、リセット装置１０から出力される、修正したリセット信号である。
【００５９】
キャンセル回路２６２から出力されるキャンセル信号CANCELLERは、電圧変換回路（電源電圧回路）２４の動作開始直前（すなわち、ＲＦモジュール２２への電源供給時点より１ｍ秒程度前）からバッテリ電圧V_BATTERYが安定するまでの時間Ｔ（図５参照）、アクティブな信号である。この時間Ｔは、コントローラ２６が内蔵するタイマ（図示せず）で制御（設定）される。
【００６０】
無効化回路１４は、キャンセル信号CANCELLERに応答してリセット信号RESET_Nをキャンセルし、キャンセル信号CANCELLERを送出している期間Ｔの間だけリセット信号RESET_Nを無効化して、修正したリセット信号RESET(C)_Nをコントローラ２６のリセット端子２６１へ供給する回路である。
【００６１】
図示の例では、無効化回路１４はＯＲ回路から構成されている。ＯＲ回路１４は、リセット信号RESET_Nとキャンセル信号CANCELLERとの論理和を取り、論理和結果信号を修正したリセット信号RESET(C)_Nとして出力する。
【００６２】
次に図５を参照して、バッテリ電圧V_BATTERY変動時のリセット装置１０の状態について説明する。
【００６３】
時刻ｔ０で、無線送受信モジュール（ＲＦモジュール）２２をオン（活性化）する直前に、コントローラ２６は、そのキャンセル回路２６２から出力されるキャンセル信号CANCELLERを論理ロウレベルから論理ハイレベルに遷移させる。
【００６４】
時刻ｔ１で、コントローラ２６が、無線送受信モジュール（ＲＦモジュール）２２をオン（活性化）するために、当該無線送受信モジュール（ＲＦモジュール）２２に駆動電圧を供給する昇降圧回路等の電圧変換回路（電源供給回路）２４の動作を開始したとする。尚、駆動電圧は、例えば、３．３Ｖである。
【００６５】
そのため、電圧変換回路２４の出力電圧V_MODULEは、時刻ｔ１以降、徐々に上昇する。無線送受信モジュール（ＲＦモジュール）２２の消費電力が大きいため、無線送受信モジュール（ＲＦモジュール）２２への突入電流が大きい。その結果、バッテリ電圧V_BATTERYは、時刻ｔ１以降、徐々に低下する。
【００６６】
時刻ｔ２で、バッテリ電圧V_BATTERYが検出電圧（規定電圧）−Ｖｄｅｔ以下になると、リセット回路１２は、そのＯＵＴ端子をＧＮＤレベルにする。その結果、リセット信号RESET_Nは、論理ハイレベルから論理ロウレベルに遷移する。しかしながら、無効化回路（ＯＲ回路）１４には、論理ハイレベルのキャンセル信号CANCELLERが供給されているので、無効化回路（ＯＲ回路）１４は、論理和結果信号として、論理ハイレベルの修正したリセット信号RESET(C)_Nを出力する。
【００６７】
したがって、コントローラ２６のリセット端子２６１には、論理ロウレベルのリセット信号RESET_Nが供給されず、論理ハイレベルの修正したリセット信号RESET(C)_Nが供給されることになる。そのため、コントローラ２６は、無線端末装置（モバイルルータ）２０のリセット動作を行わない。
【００６８】
電圧変換回路（電源供給回路）２４における動作が過渡状態の終了する方向へ向かうにつれて、電圧変換回路（電源供給回路）２４の出力電圧V_MODULEも一定電圧（例えば、３．３Ｖ）に収束する安定状態へ向けて遷移する。その結果、無線送受信モジュール（ＲＦモジュール）２２への突入電流も小さくなり、バッテリ電圧V_BATTERYが上昇する。
【００６９】
時刻ｔ３で、バッテリ電圧V_BATTERYが解除電圧＋Ｖｄｅｔ以上になると、リセット回路１２は、そのＯＵＴ端子をＶＤＤレベルにする。その結果、リセット信号RESET_Nは、論理ロウレベルから論理ハイレベルに遷移する。無効化回路（ＯＲ回路）１４から出力される修正したリセット信号RESET(C)_Nは、論理ハイレベルを維持する。
【００７０】
このように、無線送受信モジュール（ＲＦモジュール）２２をオン（活性化）して、バッテリ電圧V_BATTERYが瞬間的（一時的）に低下しても、リセット装置１０は、コントローラ２６のリセット端子２６１に、論理ロウレベルの修正したリセット信号RESET(C)_Nを供給しない。これにより、無線端末装置（モバイルルータ）２０の機能が停止するのを防止することができる。
【００７１】
したがって、本第１の実施例によるリセット装置１０では、バッテリ電圧V_BATTERY変動時に、コントローラ２６による不要なリセット動作を回避することができる。
【００７２】
以上説明したように、本発明の第１の実施例においては、以下に記載するような効果を奏する。
【００７３】
バッテリ電圧V_BATTERYの電圧変動を回避するための大容量の平滑コンデンサを削減できる。これにより、コストの低減化および回路の小型化が図れる。
【００７４】
また、コントローラ２６から送出されるキャンセル信号CANCELLERで無効化回路（ＯＲ回路）１４を制御しているので、特許文献１に記載されている電圧低下フィルタ回路のような異常動作が発生することはない。
【００７５】
以上、実施形態を参照して本発明を説明したが、本発明は上記実施形態に限定されるものではない。本発明の構成や詳細は、本発明のスコープ内で当業者が理解し得る様々な変更をすることができる。
【００７６】
例えば、上述した第１の実施例では、無効化回路１４がＯＲ回路から構成される場合を例に挙げて説明しているが、無効化回路１４はＯＲ回路には限定されないのは勿論である。すなわち、無効化回路１４は、キャンセル信号CANCELLERを送出している期間Ｔの間だけリセット信号RESET_Nを無効化できる回路であれば、どのような回路であってもよい。
【産業上の利用可能性】
【００７７】
本発明は、バッテリにて動作する装置全般についても適用できる。
【符号の説明】
【００７８】
１０    リセット装置
１２    リセット回路
１４    無効化回路（ＯＲ回路）
２０    無線端末装置（モバイルルータ）
２２    無線送受信モジュール（ＲＦモジュール）
２４    電圧変換回路（電源供給回路；昇降圧回路）
２６    コントローラ（ＣＰＵ）
２６１    リセット端子
２６２    キャンセル回路
V_BATTERY    バッテリ電圧
RESET_N    リセット信号
CANCELLER    キャンセル信号
RESET(C)_N    修正したリセット信号
【図１】
0005495341.tif 000002
【図２】
0005495341.tif 000003
【図３】
0005495341.tif 000004
【図４】
0005495341.tif 000005
【図５】
0005495341.tif 000006